(57)【要約】  照明制御装置（５）は、対応する方向を照明する複数の光源（１１）により全方位を照明することが可能な１台の照明装置（２）による照明を制御する照明制御装置（５）であって、複数の光源（１１）のうちの１つ以上の光源（１１）を発光又は消灯させるための発光情報を定期的に取得する度に、発光情報に応じて複数の光源（１１）のうちの１つ以上の光源（１１）を発光又は消灯させる処理部（２０）を備える。そして、発光情報は、複数の光源（１１）のうちの一部の光源（１１）である第１光源を発光させる第１発光ステップを実行した後に、第１光源を中心とした所定範囲に存在する第２光源をさらに発光させる第２発光ステップを実行することを示す情報を含む。
2020195281.tif 000002
【特許請求の範囲】
【請求項１】
対応する方向を照明する複数の光源により全方位を照明することが可能な１台の照明装置による照明を制御する照明制御装置であって、
前記複数の光源のうちの１つ以上の光源を発光又は消灯させるための発光情報を定期的に取得する度に、前記発光情報に応じて、前記複数の光源のうちの１つ以上の光源を発光又は消灯させる処理部を備え、
前記発光情報は、前記複数の光源のうちの一部の光源である第１光源を発光させる第１発光ステップを実行した後に、前記第１光源を中心とした所定範囲に存在する第２光源をさらに発光させる第２発光ステップを実行することを示す情報を含む
照明制御装置。
【請求項２】
前記処理部は、前記発光情報に含まれる前記第２発光ステップを実行した際に、さらに、前記第１発光ステップで実行した前記第１光源が発する光の発光強度を次第に弱めた後に、前記第１光源を消灯させる
請求項１に記載の照明制御装置。
【請求項３】
前記処理部は、
前記第２発光ステップでは、前記第１光源と隣り合わない位置に存在する光源を、前記第２光源として発光させ、
さらに、前記発光情報に含まれる前記第２発光ステップを実行後に、前記第２光源が発する光の発光強度を次第に弱めた後に、前記第２光源を消灯させ、
さらに、前記第１光源が発光及び消灯を繰り返す第１リズムと、前記第２光源が発光及び消灯を繰り返す第２リズムとが異なるように、前記第１光源及び前記第２光源を制御する
請求項１又は２に記載の照明制御装置。
【請求項４】
前記所定範囲は、前記第１発光ステップで発光する前記第１光源に対して沿面距離で最近接する光源までの距離の２倍の範囲である
請求項１〜３のいずれか１項に記載の照明制御装置。
【請求項５】
さらに、ユーザを検知する人感センサを備え、
前記処理部は、前記人感センサが検知したユーザの動作を示す検知結果に基づく前記発光情報を定期的に取得する
請求項１〜４のいずれか１項に記載の照明制御装置。
【請求項６】
さらに、
前記人感センサの検知結果をユーザに関するデータベースとして保存する記憶部と、
前記データベースと前記人感センサの検知結果とから、ユーザの動作を分析する分析部とを備え、
前記処理部は、前記分析部が分析した結果に応じた前記発光情報を定期的に取得する
請求項５に記載の照明制御装置。
【請求項７】
請求項１〜６のいずれか１項に記載の照明制御装置と、
全方位を照明するように配置された複数の光源と、
透過性かつ散乱性を有し、かつ、前記複数の光源を覆うカバー部とを備える
照明装置。
【請求項８】
前記処理部は、さらに、ネットワークを介して前記発光情報を定期的に取得する
請求項７に記載の照明装置。
【発明の詳細な説明】
【技術分野】
【０００１】
本開示は、照明制御装置及び照明装置に関する。
【背景技術】
【０００２】
従来の照明制御装置として、パン方向及びチルト方向に駆動して照明するスポットライトが開示されている（特許文献１参照）。このスポットライトは、照明灯を収容したスポットライト本体と、このスポットライト本体をパン作動させるためのパン駆動ブロック及びチルト動作させるためのチルト駆動ブロックとを備える。
【先行技術文献】
【特許文献】
【０００３】
【特許文献１】特開平０８−１８０７０２号公報
【発明の概要】
【発明が解決しようとする課題】
【０００４】
従来のスポットライトでは、スポットライトをパン方向及びチルト方向に移動させるまでに時間がかかってしまう。このため、ユーザが所望する照明を行うためには、照明を開始するまでに時間を要することとなり、スポットライトによる照明の演出には制限がある。また、従来の照明は全灯と消灯とその間の明るさの調光しかなく、豊かな演出を行うには不十分である。【０００５】
そこで、本開示は、上記事情に鑑みてなされたものであり、豊かな演出を行うことができる照明制御装置及び照明装置を提供することを目的とする。
【課題を解決するための手段】
【０００６】
上記目的を達成するために、本開示に係る照明制御装置の一態様は、対応する方向を照明する複数の光源により全方位を照明することが可能な１台の照明装置による照明を制御する照明制御装置であって、前記複数の光源のうちの１つ以上の光源を発光又は消灯させるための発光情報を定期的に取得する度に、前記発光情報に応じて、前記複数の光源のうちの１つ以上の光源を発光又は消灯させる処理部を備え、前記発光情報は、前記複数の光源のうちの一部の光源である第１光源を発光させる第１発光ステップを実行した後に、前記第１光源を中心とした所定範囲に存在する第２光源をさらに発光させる第２発光ステップを実行することを示す情報を含む。【０００７】
また、本開示に係る照明装置の一態様は、照明制御装置と、全方位を照明するように配置された複数の光源と、透過性かつ散乱性を有し、かつ、前記複数の光源を覆うカバー部とを備える。
【発明の効果】
【０００８】
本開示に係る照明制御装置等によれば、豊かな演出を行うことができる。
【図面の簡単な説明】
【０００９】
【図１】図１は、実施の形態に係る照明システムの概要の一例を示す斜視図である。
【図２Ａ】図２Ａは、図１に示す照明システムの照明装置において、カバー部の一部を除いた状態を示す斜視図である。
【図２Ｂ】図２Ｂは、図２Ａに示す照明システムの照明装置において、発光モジュールを拡大した部分拡大図である。
【図３】図３は、実施の形態に係る照明システムの構成を示すブロック図である。
【図４】図４は、実施の形態に係る照明システムにおける照明制御装置が発光情報を取得するまでの動作の一例を示すフロー図である。
【図５】図５は、実施の形態に係る照明システムにおける照明制御装置が第１光源、第２光源、第３光源、及び、第４光源を順番に発光させる際の動作の一例を示すフロー図である。
【図６】図６は、実施の形態に係る照明システムにおける照明制御装置が第１光源、第２光源、第３光源、及び、第４光源を順番に発光させた状態を示す模式図である。
【図７Ａ】図７Ａは、実施の形態に係る照明システムにおける照明装置の照明態様を例示した模式図である。
【図７Ｂ】図７Ｂは、実施の形態に係る照明システムにおける照明装置が図７Ａとは別の照明態様を例示した模式図である。
【図７Ｃ】図７Ｃは、実施の形態に係る照明システムにおける照明装置が図７Ａ及び図７Ｂとは別の照明態様を例示した模式図である。
【発明を実施するための形態】
【００１０】
以下、本開示の実施の形態について、図面を参照しながら説明する。なお、以下に説明する実施の形態は、いずれも本開示の一具体例を示すものである。したがって、以下の実施の形態で示される、数値、形状、材料、構成要素、構成要素の配置位置及び接続形態、並びに、ステップ、ステップの順序等は、一例であって本開示を限定する主旨ではない。よって、以下の実施の形態における構成要素のうち、独立請求項に記載されていない構成要素については、任意の構成要素として説明される。
【００１１】
各図は、模式図であり、必ずしも厳密に図示されてはいない。したがって、例えば、各図において縮尺等は必ずしも一致しない。また、各図において、実質的に同一の構成に対しては同一の符号を付しており、重複する説明は省略又は簡略化する。
【００１２】
また、以下の実施の形態において、略球形等の表現を用いている。例えば、略球形は、真球であることを意味するだけでなく、実質的に真球である、すなわち、例えば数％程度の誤差を含むことも意味する。また、略球形は、本開示による効果を奏し得る範囲において球形という意味である。他の「略」を用いた表現についても同様である。
【００１３】
以下の実施の形態に係る照明制御装置及び照明装置について説明する。
【００１４】
（実施の形態）
［構成］
［照明システム１］
図１は、実施の形態に係る照明システム１の概要の一例を示す斜視図である。
【００１５】
図１に示すように、照明システム１は、ユーザが制御端末３を操作することで、照明装置２から出射する光について、点消灯、照明（照射）方向、明るさ又は光色等の照明態様を制御することができるシステムである。
【００１６】
照明システム１は、照明装置２と、制御端末３とを備える。
【００１７】
［照明装置２］
照明装置２は、例えば建物の室内の天井に設置される。照明装置２は、対応する方向を照明する複数の光源１１により３６０°の全方位に光を照射（照明）する照明器具であり、複数の光源１１を有する。複数の光源１１は、照明装置２の全体にわたって配置される。照明装置２の外形は、例えば、略球形又は略多面体である。
【００１８】
照明装置２は、複数の光源１１を選択的に発光させることで、照明装置２を中心として任意の方向に光を照射する。つまり、照明装置２から出射する光の照明方向は、任意である。例えば、照明装置２は、全ての光源１１を同時に発光させることで３６０°の全方位に光を照射したり、複数の光源１１のうちの一部の光源１１を発光させることで一部の方向のみに光を照射したりする。つまり、照明装置２は、３６０°全方位ライトとして機能させるだけではなく、スポットライトとしても機能する。
【００１９】
図１の破線で示すように、照明装置２は、スポットライトとして機能しており、主に壁面又は床面に光が照射されるように複数の光源１１を選択的に発光させる。この場合、図１では、壁面での照射領域の形状が略円形となるように複数の光源１１を選択的に発光させるが、これに限らない。例えば、壁面における照明装置２の照射領域の形状は、矩形状又は略楕円形等であってもよい。
【００２０】
また、照明装置２は、調光制御機能及び調色制御機能を有する。具体的には、照明装置２は、照明装置２が出射する光について、明るさ及び光色（色温度又はカラー）を変更する。本実施の形態において、照明装置２は、複数の光源１１ごとに、光の明るさ及び光色を変更する。
【００２１】
また、本実施の形態における照明装置２は、壁面等の周囲空間に、ムラなくフルカラーで光を照射する。このため、各光源１１としては、後述するように、ＲＧＢの３色光源を用いる。また、複数の光源１１は、高い密度でムラなく均等に分散して配置される。これにより、照明装置２が照射する光を制御することによって、照明装置２が設置された空間の演出を行う。
【００２２】
また、本実施の形態における照明装置２は、画像を表示するディスプレイとは異なり、壁面等の周囲空間を照らす必要があるため、光源１１としては高い光出力が必要となる。このため、光源１１の１個当たりの輝度は、液晶ディスプレイのバックライトで用いられるＬＥＤ（Ｌｉｇｈｔ  Ｅｍｉｔｔｉｎｇ  Ｄｉｏｄｅ）光源に比べて高くなる。
【００２３】
本実施の形態における照明装置２の構成について説明する。
【００２４】
図２Ａは、図１に示す照明装置２において、カバー部９０の一部を除いた状態を示す斜視図である。図３は、実施の形態に係る照明システム１の構成を示すブロック図である。
【００２５】
図２Ａ及び図３に示すように、照明装置２は、複数の発光モジュール１０と、処理部２０と、人感センサ７０と、記憶部５０と、分析部８０と、ファン３０と、通信部４０と、電源部６０と、カバー部９０とを有する。処理部２０、人感センサ７０、記憶部５０、及び、分析部８０は、照明制御装置５を構成する。
【００２６】
＜発光モジュール１０＞
複数の発光モジュール１０の各々は、少なくとも１つの光源１１を有するモジュールである。本実施の形態において、各発光モジュール１０は、複数の光源１１を有する。各光源１１は、発光情報に基づく処理部２０からの指示にしたがって所定の発光態様で発光又は消灯する。
【００２７】
複数の発光モジュール１０は、略球形又は略多面体の外形を構成するように配置される。本実施の形態では、複数の発光モジュール１０は、頂点が６０個の三十二面体の外形を構成する。つまり、本実施の形態では、３２個の発光モジュール１０が設けられる。複数の発光モジュール１０は、２０個の正六角形の発光モジュール１０と、１２個の正五角形の発光モジュール１０とによって構成される。
【００２８】
複数の発光モジュール１０の各々は、光源１１と、基板１２とを有する。
【００２９】
複数の光源１１は、照明装置２の全体にわたって配置される。つまり、複数の光源１１は、照明装置２から全方向に光を照射可能に点在する。各々の光源１１は、それぞれが対応する方向を照明する。各々の光源１１が出射する光の方向は、それぞれ異なっていてもよい。複数の光源１１の各々は、照明装置２の外方に向けて光を出射する。具体的には、各光源１１の光軸は、カバー部９０の外面の接線と直交する方向である。光軸は、各光源１１が出射する主たる光に沿う直線である。
【００３０】
また、各光源１１は、２色以上の光を出射する。具体的には、各光源１１は、ＲＧＢの３色光源１１であり、赤色光、青色光及び緑色光の３色の単色光を出射するとともに、これらの３色の単色光を調光することで得られるカラー光又は白色光を出射する。
【００３１】
具体的には、各光源１１は、ＬＥＤがパッケージ化された表面実装（ＳＭＤ：Ｓｕｒｆａｃｅ  Ｍｏｕｎｔ  Ｄｅｖｉｃｅ）型のＬＥＤ素子であり、容器（パッケージ）と、容器内に実装された複数のＬＥＤチップと、複数のＬＥＤチップを封止する封止部材とを有する。本実施の形態では、複数のＬＥＤチップとして、赤色光を発する赤色ＬＥＤチップと、青色光を発する青色ＬＥＤチップと、緑色光を発する緑色ＬＥＤチップとが実装される。封止部材は、シリコーン樹脂等の透光性の絶縁性樹脂材料である。なお、封止部材には、シリカ等の光拡散材及びフィラー等が分散されていてもよい。
【００３２】
このように構成される光源１１は、基板１２に実装される。本実施の形態では、１つの基板１２に複数の光源１１が実装される。
【００３３】
基板１２は、光源１１を実装するための実装面を有する実装基板である。なお、図示しないが、基板１２の実装面には金属配線及び給電用のコネクタ等が設けられる。
【００３４】
また、基板１２は、筐体の多面体の外面を構成する多角形の面に対応する形状を有する。本実施の形態では、基板１２として、平面視形状が正六角形の基板１２と、平面視形状が正五角形の基板１２とによって構成される。そして、２０枚の正六角形の基板１２と、１２枚の五角形の基板１２とを組み合わせることで、三十二面体の多面体が構成される。
【００３５】
各基板１２は、多面体の図示しない筐体に、ネジ等の固定部材により取り付けられることで、筐体に固定される。本実施の形態では、筐体は、三十二面体である。このため、筐体は、複数の発光モジュール１０を三十二面体の形状に構成させる。
【００３６】
基板１２には、複数の光源１１が規則的に配置される。本実施の形態において、正六角形の基板１２には、正六角形の角部の部分に、光源１１（合計６個）がそれぞれ実装されており、正五角形の基板１２には、正五角形の角部の部分に光源１１（合計５個）が実装される。したがって、照明装置２には、１８０個（＝２０枚×６個＋１２枚×５個）の光源１１が用いられる。
【００３７】
基板１２としては、例えば、アルミニウム又は銅等の金属材料からなる基材に絶縁被膜を施すことで得られるメタルベース基板、アルミナ等のセラミック材料の焼結体であるセラミックス基板、又は、樹脂材料をベースとする樹脂基板等が用いられる。本実施の形態では、基板１２として、金属配線が形成されたガラスエポキシ基板からなるプリント配線基板を用いる。なお、基板１２は、リジッド基板であるが、フレキシブル基板であってもよい。
【００３８】
＜処理部２０＞
処理部２０は、照明装置２の各部の制御を行う制御回路である。処理部２０は、例えば、プロセッサが記憶部５０に保持されたプログラムを実行することで、各種制御を行う。プロセッサは、ＭＰＵ（Ｍｉｃｒｏ  ｐｒｏｃｅｓｓｉｎｇ  Ｕｎｉｔ）、ＣＰＵ（Ｃｅｎｔｒａｌ  Ｐｒｏｃｅｓｓｉｎｇ  Ｕｎｉｔ）、ＤＳＰ（Ｄｉｇｉｔａｌ  Ｓｉｇｎａｌ  Ｐｒｏｃｅｓｓｏｒ）、ＧＰＵ（Ｇｒａｐｈｉｃａｌ  Ｐｒｏｃｅｓｓｉｎｇ  Ｕｎｉｔ）、又は、ＳＯＣ（Ｓｙｓｔｅｍ  ｏｎ  ａ  ｃｈｉｐ）等によって構成される。
【００３９】
処理部２０は、複数の発光モジュール１０を制御する。具体的には、処理部２０は、制御端末３から受信したユーザの操作設定に応じて又は自動的に、発光情報を取得し、取得した発光情報に応じた発光態様で発光又は消灯するように、各発光モジュール１０に含まれる光源１１が発する光の発光態様を制御する。つまり、処理部２０は、照明装置２に含まれる全ての光源１１が発する光の発光態様を個別に制御する。例えば、処理部２０は、全ての発光モジュール１０が出射する光について、点消灯（点灯、消灯）を制御したり、明るさを変えたり、光色を変えたりするように制御する。各発光モジュール１０に含まれる光源１１が発する光の発光態様には、光源１１を点灯させたときに発する光の発光態様だけでなく、光源１１を消灯させるとき光の発光態様も含む。例えば、消灯させるとき光の発光態様は、光源１１が発する光の出力を１００％から０％にする発光態様、規定期間をかけて次第に消灯する発光態様、光源１１が点滅する発光態様等がある。
【００４０】
また、処理部２０は、制御端末３から通信部４０で受信した発光情報に応じて各発光モジュール１０の発光態様を個別に制御する。
【００４１】
ここで、発光情報には、発光させるべき光源１１の識別子、光源１１が発光する色、光源１１が発光する期間、消灯にかける期間等が含まれる。つまり、発光情報には、各光源１１を所定の発光態様（光源１１が発光する色、光源１１が発光する期間等）で点灯又は消灯させるための情報が含まれる。また、発光情報には、各光源１１を所定の発光態様で点灯させる複数の発光ステップが含まれる。本実施の形態では、発光情報は、後述する第１発光ステップ及び第２発光ステップを少なくとも含む。
【００４２】
図２Ｂは、図２Ａに示す照明システム１の照明装置２において、発光モジュール１０を拡大した部分拡大図である。図２Ｂ及び図３に示すように、処理部２０は、第１発光ステップによる、複数の光源１１のうちの第１光源１１ａ１が発光及び消灯を繰り返す第１リズムと、第２発光ステップによる、複数の光源１１のうちの第２光源１１ａ２が発光及び消灯を繰り返す第２リズムとを異なるように発光させる。発光情報には、第１リズムと第２リズムとが含まれる。
【００４３】
処理部２０は、発光情報を取得すると、発光情報に示す発光情報（制御コマンド）で、複数の光源１１のうちの一部の光源１１である第１光源１１ａ１を発光させる（第１発光ステップ）。これにより、処理部２０は、複数の光源１１のうちの一部である第１光源１１ａ１を発光させる。
【００４４】
また、処理部２０は、第１発光ステップを実行した後に、発光情報に示す発光態様で、複数の光源１１のうちの一部の光源１１である第２光源１１ａ２を発光させる（第２発光ステップ）。これにより、処理部２０は、複数の光源１１のうちの第２光源１１ａ２を、さらに発光させる。
【００４５】
また、処理部２０は、第２発光ステップを実行した際に、第１発光ステップで実行した第１光源１１ａ１が発する光の発光強度を、所定期間をかけて次第に弱めた後、第１光源１１ａ１を消灯させる。つまり、処理部２０は、第１光源１１ａ１の他に第２光源１１ａ２をさらに発光させると、第１光源１１ａ１が発する光を、所定期間かけて暗くし、第１光源１１ａ１を消灯させる。
【００４６】
また、処理部２０は、第２発光ステップを実行した際に、第１発光ステップを再び実行させてもよい。つまり、処理部２０は、第１発光ステップを再び実行させた後に、第２発光ステップで実行した第２光源１１ａ２が発する光の発光強度を、所定期間をかけて次第に弱めた後、第２光源１１ａ２を消灯させる。このように、処理部２０は、発光情報に基づく複数の発光ステップを繰り返して実行してもよい。
【００４７】
第２光源１１ａ２が発光する位置について、図２Ｂを用いて説明する。
【００４８】
図２Ｂで示すように、処理部２０は、第２発光ステップを実行する際、第１光源１１ａ１を中心とした所定範囲に存在する第２光源１１ａ２をさらに発光させる。つまり、処理部２０は、複数の光源１１のうちの一部の光源１１である第１光源１１ａ１を発光させた後に、第１光源１１ａ１の近くに存在する第２光源１１ａ２をさらに発光させる。
【００４９】
ここで、所定範囲は、第１発光ステップで発光する第１光源１１ａ１に対して沿面距離で最近接する光源１１までの距離Ｄの２倍の範囲である。所定範囲は、図２Ｂの二点鎖線Ｖ１（後述する範囲Ｖ２を除く）で示す。二点鎖線Ｖ１と交差する光源１１は、所定範囲に存在する光源１１とする。なお、所定範囲は、沿面距離に限らず、空間距離を用いて規定してもよく、第１光源１１ａ１が実装される基板１２に隣接する基板１２に実装される各光源１１であってもよい。
【００５０】
図２Ｂ及び図３に示すように、第２発光ステップでは、処理部２０は、第１光源１１ａ１と隣り合わない位置に存在する光源１１を、第２光源１１ａ２として発光させる。つまり、処理部２０は、第１光源１１ａ１を中心とした所定範囲に存在する第２光源１１ａ２を発光させるが、第１光源１１ａ１に隣接する光源１１は第２光源１１ａ２として発光させない。例えば、図２Ｂに示すように、第１光源１１ａ１と隣り合う光源１１とは、第１光源１１ａ１から距離Ｄの範囲（図２Ｂの二点鎖線Ｖ２で示す）に存在する光源１１である。二点鎖線Ｖ２と交差する光源１１は、第１光源１１ａ１から距離Ｄの範囲に存在する光源１１とする。処理部２０は、図２Ｂのハッチングで示される二点鎖線Ｖ１、Ｖ２の間の領域内に収まっている１以上の光源１１を発光又は消灯させる。
【００５１】
また、処理部２０は、発光情報を生成する前に、分析部８０が分析した結果（分析結果）を定期的に取得する。処理部２０は、取得した分析結果に応じた発光情報を定期的に生成し、生成する度に記憶部５０に保存する。具体的には、処理部２０は、分析結果に示されるユーザの１つ１つの動作から、現在のユーザに適した発光態様で各光源１０が点灯するための発光情報を生成する。ユーザの１つ１つの動作は、例えば手の動き、足の動き、頭の動き等のような１つの動作である。
【００５２】
例えば、記憶部５０がユーザの１つ１つの動作と複数の発光態様とが一対一で対応付けられたテーブルを有する場合、処理部２０は、分析結果に示されるユーザの１つ１つの動作に対応付けられる発光情報を組み合わせて、ユーザの一連の動作つまり行動に応じた発光情報を生成する。処理部２０は、発光情報を生成する度に記憶部５０に保存する。行動は、ユーザの複数の動作によって構成される、ユーザの一連の動きであり、例えば、歩行、読書、炊事、洗濯等である。
【００５３】
図３に示すように、また、処理部２０は、複数の光源１１のうちの１つ以上の光源１１を発光又は消灯させるための発光情報を定期的に取得する。処理部２０は、ユーザの１つ１つの動作に基づいて定期的に生成して取得したり、ネットワークを介して、外部のサーバ３００から定期的に発光情報を取得したりする。処理部２０は、通信部４０を介して、ネットワークに接続される外部のサーバ３００から、発光情報を定期的に取得する。このように、処理部２０は、発光情報を取得する度に、取得した発光情報に応じて各光源１１を発光又は消灯させる。処理部２０は、取得した発光情報を取得する度に記憶部５０に保存する。
【００５４】
＜人感センサ７０＞
人感センサ７０は、照明装置２の周囲に存在するユーザを常時検知するセンサである。人感センサ７０は、単にユーザの存在を検知するだけでなく、ユーザの位置、ユーザの姿勢、ユーザの動作等を検知する。ユーザの位置とは、照明装置２に対するユーザまでの距離、照明装置２に対するユーザの方向等である。ユーザの姿勢とは、ユーザの寝姿勢、ユーザの座位の姿勢、ユーザの起立の姿勢等である。
【００５５】
人感センサ７０は、検知したユーザの動作等を示す検知結果を分析部８０に出力する。人感センサ７０は、例えば、赤外線センサ、ＴＯＦ（Ｔｉｍｅ  Ｏｆ  Ｆｌｉｇｈｔ）カメラ等の撮像装置である。なお、人感センサ７０は、照明装置２に搭載されていてもよいが、照明装置２に搭載されず、照明装置２とは別の場所に設けられていてもよい。
【００５６】
＜分析部８０＞
分析部８０は、記憶部５０に格納されるデータベースと人感センサ７０の検知結果とから、ユーザの動きを分析し、分析した結果（分析結果）を処理部２０に出力する。分析結果には、ユーザの行動の内容、ユーザの行動を起こした位置、ユーザが行動を実行した時刻及び期間等が特定される。
【００５７】
ユーザの行動の内容は、歩行、読書、食事、着替え、帰宅等のユーザが日常的に行う行動パターンである。例えば、ユーザが歩行した場合では、ユーザが歩行を開始してから終了するまでの動線（照明装置２に対する位置を含む）、ユーザの姿勢等である。ユーザが行動を起こした時刻及び期間は、例えばユーザが歩行した場合では、ユーザが歩行を開始した時刻と、その時刻から歩行を終えるまでの期間とを示す。
【００５８】
また、分析部８０は、人感センサ７０の検知結果に基づいて、ユーザのデータベースを生成し、ユーザの行動パターンを記憶部５０に記憶させる。また、分析部８０は、記憶部５０に記憶されたユーザのデータベースに基づいて、ユーザの行動の内容等を推定してもよい。分析部８０は、ユーザの行動パターンを学習し、より正確にユーザの行動を特定する。例えば、分析部８０は、ディープラーニング等の機械学習によりこれを実行してもよい。
【００５９】
＜記憶部５０＞
記憶部５０は、人感センサ７０の検知結果をユーザに関するデータベースとして保存する。つまり、記憶部５０には、ユーザの行動履歴が保存される。また、記憶部５０には、分析部８０が分析した分析結果、ネットワークを介して処理部２０が取得した発光情報、生成した発光情報等が定期的に保存される。また、記憶部５０は、ユーザの動きに応じて対応付けられたテーブルを記憶していてもよい。
【００６０】
記憶部５０は、処理部２０のワーキングメモリとして使用され得る。記憶部５０は、例えば、ＲＡＭ（Ｒａｎｄｏｍ  Ａｃｃｅｓｓ  Ｍｅｍｏｒｙ）又はＲＯＭ（Ｒｅａｄ  Ｏｎｌｙ  Ｍｅｍｏｒｙ）等の一次記憶装置を含む。また、記憶部５０は、ＨＤＤ（Ｈａｒｄ  Ｄｉｓｋ  Ｄｒｉｖｅ）又はＳＳＤ（Ｓｏｌｉｄ  Ｓｔａｔｅ  Ｄｒｉｖｅ）等の二次記憶装置及び／又は光ディスク又はＳＤカード等の三次記憶装置を含んでいてもよい。なお、記憶部５０は、その他の記憶装置を含んでいてもよい。
【００６１】
＜ファン３０＞
ファン３０は、照明装置２の内部を空冷する送風ファンである。ファン３０は、駆動すると、複数の通気孔のうちの一の通気孔から外気を内部に取り込んで他の通気孔から熱気を排気する。ファン３０は、光源１１の点灯及び消灯に連動して自動でＯＮ／ＯＦＦするように構成されていてもよいし、制御端末３の操作によってＯＮ／ＯＦＦの制御が行えるように構成されていてもよいし、これらの両方の機能を有するように構成されていてもよい。
【００６２】
＜通信部４０＞
通信部４０は、制御端末３との通信を行う機能を有する。具体的には、通信部４０は、照明装置２の光の照明態様を制御するための発光情報又はユーザの操作設定を制御端末３から受信する。通信部４０で受信した発光情報又はユーザの操作設定は、処理部２０に出力される。通信部４０による通信方式は、例えば、ＷＡＮ（Ｗｉｄｅ  Ａｒｅａ  Ｎｅｔｗｏｒｋ）、ＬＡＮ（Ｌｏｃａｌ  Ａｒｅａ  Ｎｅｔｗｏｒｋ）、電力線通信、赤外線通信、近距離無線通信（例えばＢｌｕｅｔｏｏｔｈ（登録商標）通信）、又は、携帯電話用のモバイル通信等の通信方式である。
【００６３】
＜電源部６０＞
電源部６０は、照明装置２の各部に電力を供給する機能を有する。電源部６０は、例えば、プリント基板に複数の電子部品が実装された電源回路である。電源部６０は、例えば、複数の発光モジュール１０の各々を発光させるための駆動電力を生成する。具体的には、電源部６０は、光源１１を発光させるための駆動電力を生成し、この駆動電力を各光源１１に供給する。例えば、差し込みプラグ等によって照明装置２が商用の交流電源に接続されると、電源部６０は、交流電力を駆動電力に変換する。一例として、電源部６０は、商用の交流電力を直流電力に変換し、この直流電力によって光源１１を発光させるための駆動電力として各光源１１に供給する。これにより、光源１１が発光する。なお、電源部６０は、ファン３０を駆動させるための駆動電力も生成する。
【００６４】
＜カバー部９０＞
カバー部９０は、透明樹脂等の透光性を有する樹脂材料又は透明なガラス材料等の透光部材によって構成される。カバー部９０は、配線管８１に支持される。カバー部９０は、透過性かつ散乱性を有し、発光モジュール１０から出射した光を透過及び散乱させる。カバー部９０は、多面体状に配置された複数の発光モジュール１０の全体を覆うように構成される。カバー部９０は、照明装置２の最も外側に位置する外郭筐体である。カバー部９０は、略球形の外形を有する。
【００６５】
［制御端末３］
制御端末３は、照明装置２を制御する装置である。例えば、制御端末３は、ユーザが操作するスマートフォン又はタブレット型端末等の携帯端末である。また、制御端末３は、照明装置２以外の他の機器も操作できる端末であってもよいし、照明装置２のみを操作する専用のリモコン等の端末であってもよい。
【００６６】
制御端末３は、ユーザの操作を受付けることで、複数の光源１１の各々について、点消灯、明るさ、光色又は発光期間等の発光態様を制御する。これにより、制御端末３は、照明装置２の照明態様を変化させる。なお、各光源１１の発光態様には、これらに限らず、点滅等の発光パターンが含まれていてもよい。
【００６７】
例えば、照明装置２から出射する光の照明方向を制御する場合、ユーザは、制御端末３を操作して、照明装置２の光の照明方向を指定する。これにより、制御端末３は、指定された照明方向を含む情報を照明装置２に送信する。照明装置２は、全ての光源１１の中から、指定された照明方向に照明可能な光源１１を１つ以上選択し、これらの光源１１を発光させる。
【００６８】
制御端末３は、制御部１１０と、ユーザインタフェース１２０と、通信部１３０と、記憶部１４０とを有する。
【００６９】
＜制御部１１０＞
制御部１１０は、制御端末３の各部の制御を行う。制御部１１０は、例えば、プロセッサが記憶部１４０に保持されたプログラムを実行することで、各種制御を行う。プロセッサは、例えば、照明装置２の処理部２０と同様に、ＭＰＵ、ＣＰＵ、ＤＳＰ、ＧＰＵ又はＳＯＣ等によって構成される。
【００７０】
本実施の形態において、制御部１１０は、発光情報、又は、ユーザインタフェース１２０で受け付けたユーザの操作設定等を照明装置２に送信する。つまり、制御部１１０は、発光情報を照明装置２に送信するだけでなく、ユーザによるユーザインタフェース１２０の操作によって入力されたユーザの操作設定を照明装置２に送信する。ユーザの操作設定として、制御部１１０は、照明装置２が照射する光の照明方向、明るさ、光色、照明パターン及び発光期間等に関する情報を生成する。生成されたユーザの操作設定は、通信部１３０に出力される。
【００７１】
なお、制御部１１０は、ユーザがユーザインタフェース１２０を操作して各光源１０の発光態様を設定することで、発光情報を生成してもよく、生成した発光情報を照明装置２に送信してもよい。
【００７２】
＜ユーザインタフェース１２０＞
ユーザインタフェース１２０は、ユーザの操作設定としてユーザの操作に応じて照明装置２の照明態様が入力される入力手段である。具体的には、ユーザインタフェース１２０は、照明装置２の照明態様として、ユーザによって指定される照明方向、照明光の明るさ、照明光の光色、照明パターン又は発光期間等に関するユーザの操作設定を受け付ける。ユーザインタフェース１２０は、例えば、操作部及び表示部としての機能を有するタッチパネルで構成される。タッチパネルには、ユーザによるタッチ操作に適したＧＵＩ（Ｇｒａｐｈｉｃａｌ  Ｕｓｅｒ  Ｉｎｔｅｒｆａｃｅ）画面が表示される。なお、ユーザインタフェース１２０は、タッチパネルに限らず、表示部及び操作部を個々に有したものであってもよい。この場合、表示部は、液晶表示デバイス又は有機ＥＬデバイス等の表示デバイスであり、操作部は、マウス、キーボード、タッチパッド、タッチパネル又はマイクロホン等の入力デバイスである。
【００７３】
＜通信部１３０＞
通信部１３０は、照明装置２との通信を行う機能を有する。具体的には、通信部１３０は、制御部１１０からユーザの操作設定を受信し、このユーザの操作設定を照明装置２に送信する。通信部１３０による通信方式は、照明装置２の通信部４０と同様に、例えば、ＷＡＮ、ＬＡＮ、電力線通信、赤外線通信、近距離無線通信（例えばＢｌｕｅｔｏｏｔｈ（登録商標）通信）、又は、携帯電話用のモバイル通信等の通信方式である。
【００７４】
＜記憶部１４０＞
記憶部１４０は、制御部１１０のワーキングメモリとして使用され得る。記憶部１４０は、例えば、ＲＡＭ又はＲＯＭ等の一次記憶装置を含む。また、記憶部１４０は、ＨＤＤ又はＳＳＤ等の二次記憶装置及び／又は光ディスク又はＳＤカード等の三次記憶装置を含んでいてもよい。なお、記憶部１４０は、その他の記憶装置を含んでいてもよい。記憶部１４０は、各種データ、情報及びプログラム等を保存する。また、記憶部１４０には、照明装置２の照明態様又は光源１１の発光態様となる発光情報が予め登録されていてもよい。
【００７５】
［動作］
次に、照明制御装置５及び照明装置２の動作について説明する。
【００７６】
図４は、実施の形態に係る照明システム１における照明制御装置５が発光情報を取得するまでの動作の一例を示すフロー図である。
【００７７】
ここでは、ユーザが座席に座って読書をしている場合を想定し、この場合の照明制御装置５及び照明装置２が行う照明態様を説明する。
【００７８】
図４に示すように、まず、人感センサ７０は、照明装置２の周囲に存在するユーザを検知する。例えば、ユーザが照明装置２の周囲に存在すると、人感センサ７０は、ユーザを検知する（Ｓ１）。具体的には、人感センサ７０は、照明装置２に対するユーザの位置、ユーザの姿勢、ユーザの動作等を検知し、検知する度に検知結果を、分析部８０に出力する。
【００７９】
分析部８０は、記憶部５０のデータベースと定期的に取得する人感センサ７０の検知結果とから、ユーザの行動を定期的に分析し、分析した分析結果を分析する度に処理部２０に出力する（Ｓ２）。分析結果には、ユーザの行動の内容、ユーザが行動を実行した時刻及び期間等が含まれる。分析部８０は、人感センサ７０から取得した検知結果に基づいて、照明装置２に対するユーザの位置、ユーザの姿勢、ユーザの行動の内容（例えば、手の動き等）等から、例えば、ユーザが椅子に座って読書をしていることと、ユーザが読書した時刻及び期間を特定する。
【００８０】
また、分析部８０は、記憶部５０に記憶された過去のデータベースから、人感センサ７０の検知結果が示すユーザの行動パターンを予測してもよい。
【００８１】
分析部８０は、分析する度に、照明装置２に対するユーザの位置、ユーザの座位の姿勢、ユーザの行動の内容（ここでは、読書）、ユーザが行動を実行した時刻及び期間等と、特定した行動とを紐付けたユーザのデータベースを生成し、生成する度にデータベースを記憶部５０に記憶させる（Ｓ３）。つまり、分析部８０は、ユーザのデータベースを記憶部５０に蓄積し学習してゆくため、より正確にユーザの行動を分析できるようになる。
【００８２】
処理部２０は、分析結果に示されるユーザの１つ１つの動作から、現在のユーザに適した発光態様で点灯するための発光情報を定期的もしくは任意のトリガーとなる行動の変化が生じたタイミングで生成する。例えば、処理部２０は、記憶部５０に記憶されるユーザの１つ１つの動作に応じて対応付けられたテーブルを用いて、分析結果に示されるユーザの１つ１つの動作に対応付けられる発光情報を組み合わせて、ユーザの一連の動作に応じた発光情報を定期的に生成する。
【００８３】
ユーザが座席に座って読書をしている場合を例にあげて説明すると、ユーザの１つ１つの動作には、ユーザが座席に付くまでに移動した動線で示す行動と、ユーザが座席で読書をする行動とが含まれる。まず、処理部２０は、ユーザが座席に付くまでの動線をなぞるように光を投影させた後、ユーザが読書をしている位置に向けて光を照射する。より具体的には、処理部２０は、人感センサ７０がユーザを検知した位置からユーザが座席に座るまでの行動において、移動した動線と同様の軌跡を描くように（動線をなぞるように）、光を照射する各光源１１の識別子、発光させる各光源１１の順番、発光させる各光源１１の発光期間及び発光色等を決定して発光情報を生成する。また、処理部２０は、人感センサ７０が検知したユーザの読書をするという行動において、ユーザが読書をしている位置、つまり、ユーザが見ている書物に向けて光を照射する各光源１１の識別子、各光源１１に対応する発光色等を決定して発光情報を生成する。
【００８４】
このように、処理部２０は、分析部８０から分析結果を取得する度に、ユーザの１つ１つの動作を組み合わせたユーザの行動に応じた発光情報を定期的に生成することで、発光情報を定期的に取得する（Ｓ４）。処理部２０は、発光情報を生成する度に記憶部５０に保存する。ここでは、処理部２０は、動線をなぞる発光情報と、読書をするときの発光情報とを記憶部５０に保存する。
【００８５】
そして、処理部２０は、上述の処理を終了し、上述と同様の処理を繰り返す。
【００８６】
次に、処理部２０が光源１１を発光又は消灯させる動作について説明する。
【００８７】
図５は、実施の形態に係る照明システム１における照明制御装置５が第１光源１１ｂ１、第２光源１１ｂ２、第３光源１１ｂ３、及び、第４光源１１ｂ４を順番に発光させる際の動作の例を示すフロー図である。図６は、実施の形態に係る照明システム１における照明制御装置５が第１光源１１ｂ１、第２光源１１ｂ２、第３光源１１ｂ３、及び、第４光源１１ｂ４を順番に発光させた状態を示す模式図である。図６では、照明装置２における所定の領域で第１光源１１ｂ１、第２光源１１ｂ２、第３光源１１ｂ３、及び、第４光源１１ｂ４が発光する様子を例示する。
【００８８】
ここでは、ユーザが座席に付くまでに移動する動線をなぞるように光を照射させた場合を想定する。このとき、複数の光源１１のうちの第１光源１１ｂ１、第２光源１１ｂ２、第３光源１１ｂ３、及び、第４光源１１ｂ４を順番に発光させる場合を例にあげて説明する。発光情報には、第１点灯ステップと、第２点灯ステップと、第３点灯ステップと、第４点灯ステップとが含まれる。
【００８９】
図６では、実線で示す第１光源１１ｂ１が発光する様子を例示する。図５及び図６に示すように、処理部２０は、取得した発光情報に応じて複数の光源１１のうちの一部の光源１１である第１光源１１ｂ１（図６のＡを参照）を発光させる（Ｓ１１：第１発光ステップを実行）。処理部２０は、発光情報に示される発光期間（第１規定期間）、及び、発光色で第１光源１１ｂ１を発光させる。本実施の形態では、第１光源１１ｂ１は、全点灯状態の出力（１００％）つまり定格出力で発光する。また、第１規定期間は、例えば、数百ミリ秒程度である。
【００９０】
図６では、さらに、破線で示す第２光源１１ｂ２が発光する様子を例示する。図５及び図６に示すように、次に、処理部２０は、ステップＳ１１の第１発光ステップを実行した後に、第１光源１１ｂ１を中心とした所定範囲に存在する第２光源１１ｂ２（図６のＢを参照）をさらに発光させる（Ｓ１２：第２発光ステップを実行）。処理部２０は、発光情報に示される発光期間（第２規定期間）、及び、発光色で第１光源１１ｂ１及び第２光源１１ｂ２を発光させる。第２光源１１ｂ２は、第１光源１１ｂ１と隣接しない光源１１であり、かつ、第１光源１１ｂ１から最近接する光源１１までの距離Ｄの２倍の範囲に存在する光源１１である。つまり、領域Ｖ内に存在する複数の光源１１のうち、動線に光を照射する光源１１が第２光源１１ｂ２となる。このように、処理部２０は、動線に応じて第２光源１１ｂ２を発光させる。また、第２規定期間は、例えば、数百ミリ秒程度である。
【００９１】
また、処理部２０は、第２発光ステップを実行した際に、第１発光ステップで実行した第１光源１１ｂ１が発する光の発光強度を次第に弱める（暗くする）（Ｓ１３）。ここで、第Ｎ発光ステップ（Ｎは１以上の整数）を実行した際とは、第Ｎ発光ステップを実行したと同時、第Ｎ発光ステップを実行してから所定期間経過後という意味である。
【００９２】
本実施の形態では、ステップＳ１２の実行と同時にステップＳ１３を実行する。図６のＡ及びＢでは、ステップＳ１２、Ｓ１３を実行後に、第１光源１１ｂ１及び第２光源１１ｂ２が発光する様子を例示する。本実施の形態では、処理部２０は、第１光源１１ｂ１を定格出力の７５％まで弱め、第２光源１１ｂ２を定格出力で発光させる。
【００９３】
このように、光が移動するように、照明装置２において発光させる光源１１の位置を変化させることで、光が移動した後の残像を表現する。
【００９４】
図６では、さらに、一点鎖線で示す第３光源１１ｂ３が発光する様子を例示する。図５及び図６に示すように、次に、処理部２０は、ステップＳ１３を実行した後に、第２光源１１ｂ２を中心とした所定範囲に存在する第３光源１１ｂ３（図６のＣを参照）をさらに発光させる（Ｓ１４：第３発光ステップを実行）。処理部２０は、発光情報に示される発光期間（第３規定期間）、及び、発光色で第１光源１１ｂ１、第２光源１１ｂ２及び第３光源１１ｂ３を発光させる。第３光源１１ｂ３においても同様に、第２光源１１ｂ２と隣接しない光源１１であり、かつ、第２光源１１ｂ２から最近接する光源１１までの距離Ｄの２倍の範囲に存在する光源１１である。つまり、領域内に存在する複数の光源１１のうち、動線に光を照射する光源１１が第３光源１１ｂ３となる。このように、処理部２０は、動線に応じて第３光源１１ｂ３を発光させる。また、第３規定期間は、例えば、数百ミリ秒程度である。
【００９５】
また、処理部２０は、第３発光ステップを実行した際に、ステップＳ１１、Ｓ１２で実行した第１光源１１ｂ１及び第２光源１１ｂ２が発する光の発光強度を次第に弱める（Ｓ１５）。
【００９６】
本実施の形態では、ステップＳ１４の実行と同時にステップＳ１５を実行する。図６のＣでは、ステップＳ１４、Ｓ１５を実行後に、第１光源１１ｂ１、第２光源１１ｂ２及び第３光源１１ｂ３が発光する様子を例示する。本実施の形態では、処理部２０は、第１光源１１ｂ１を定格出力の５０％まで弱め、第２光源１１ｂ２を定格出力の７５％まで弱め、第３光源１１ｂ３を定格出力で発光させる。
【００９７】
図６では、さらに、二点鎖線で示す第４光源１１ｂ４が発光する様子を例示する。図５及び図６に示すように、次に、処理部２０は、ステップＳ１５を実行した後に、第３光源１１ｂ３を中心とした所定範囲に存在する第４光源１１ｂ４（図６のＤを参照）をさらに発光させる（Ｓ１６：第４発光ステップを実行）。処理部２０は、発光情報に示される発光期間（第４規定期間）、及び、発光色で第１光源１１ｂ１、第２光源１１ｂ２、第３光源１１ｂ３及び第４光源１１ｂ４を発光させる。第４光源１１ｂ４においても同様に、第３光源１１ｂ３と隣接しない光源１１であり、かつ、第３光源１１ｂ３から最近接する光源１１までの距離Ｄの２倍の範囲に存在する光源１１である。つまり、領域内に存在する複数の光源１１のうち、動線に光を照射する光源１１が第４光源１１ｂ４となる。このように、処理部２０は、動線に応じて第４光源１１ｂ４を発光させる。また、第４規定期間は、例えば、数百ミリ秒程度である。
【００９８】
また、処理部２０は、第４発光ステップを実行した際に、ステップＳ１１、Ｓ１２、Ｓ１４で実行した第１光源１１ｂ１、第２光源１１ｂ２及び第３光源１１ｂ３が発する光の発光強度を次第に弱め、第１光源１１ｂ１を消灯する（Ｓ１７）。
【００９９】
本実施の形態では、ステップＳ１６の実行と同時にステップＳ１７を実行する。図６のＤでは、ステップＳ１６、Ｓ１７を実行後に、第２光源１１ｂ２、第３光源１１ｂ３及び第４光源１１ｂ４が発光する様子を例示する。本実施の形態では、処理部２０は、第２光源１１ｂ２を定格出力の５０％まで弱め、第３光源１１ｂ３を定格出力の７５％まで弱め、第４光源１１ｂ４を定格出力で発光させる。
【０１００】
そして、処理部２０は、上述の処理を終了し、上述と同様の処理を繰り返す。なお、図５及び図６では、４つのステップについて説明したが、発光ステップの数によって処理の数が異なるため、図５及び図６には限定されない。また、発光ステップは３つ以下でもよく、５つ以上でもよい。
【０１０１】
［照明態様］
次に、照明装置２の照明態様について説明する。
【０１０２】
図７Ａは、実施の形態に係る照明システム１における照明装置２の照明態様を例示した模式図である。図７Ａに示すように、照明装置２の照明態様は、雨を模している。照明制御装置５は、上述の図６で例示した複数の光源１１（例えば、第１光源１１ｂ１、第２光源１１ｂ２及び第３光源１１ｂ３）を一組とした、複数の組を同時に発光させる。図７ＡのＡで示すように、第１光源１１ｂ１、第２光源１１ｂ２及び第３光源１１ｂ３の組において、処理部２０は、それぞれの光源１１が発する光が途切れない（各光源１１の発する光が光源１１ごとに離散しないように）ように連続して重なり合い、かつ、上から下に向かって光の発光強度が大きくなるように発光させる。これにより、残像が表現される。処理部２０は、第１光源１１ｂ１、第２光源１１ｂ２及び第３光源１１ｂ３の組を発光させた後に、第１光源１１ｂ１を消灯し、図７ＡのＢで示すように第２光源１１ｂ２、第３光源１１ｂ３及び第４光源１１ｂ４の組を複数発光させる。このように、発光させる光源１１の位置を移動させることで、雨が降っている様子を再現できる。
【０１０３】
図７Ｂは、実施の形態に係る照明システム１における照明装置２が図７Ａとは別の照明態様を例示した模式図である。
【０１０４】
図７ＢのＡに示すように、照明装置２の中央部分だけを小さく光（ドットのハッチングで示す）らせる。時間の経過とともに、図７ＢのＢ及び図７ＢのＣに示すように、発光させる領域を次第に大きくする。そして、図７ＢのＤに示すように、照明装置２の全体を発光させる。
【０１０５】
なお、図７Ｂにおける照明装置２は、図７ＢのＤから、図７ＢのＣ、図７ＢのＢ及び図７ＢのＡのこの順のように発光してもよい。
【０１０６】
図７Ｃは、実施の形態に係る照明システム１における照明装置２が図７Ａ及び図７Ｂとは別の照明態様を例示した模式図である。
【０１０７】
図７ＣのＡに示すように、処理部２０は、照明装置２において所定場所に光が集まるように、光を移動させながら、複数の組を発光させる。図７ＣのＢに示すように、所定場所を次第に明るくする。つまり、光を集めるような照明態様を実現することで、次第に光が溜まる様子、つまり次第に水が溜まる様子を表現する。このように、照明装置２の発光領域を次第に増やしてゆく、つまり非発光領域を次第に減らしてゆく。そして、照明装置２の表面積において、規定個数以上の光源１１が発光すると（光が溜まった様子を再現した発光領域が所定面積以上になると）、図７ＣのＣに示すように、光を集めるように移動させる動作を停止させる。なお、図７ＣのＢから図７ＣのＣに移行する間、非発光領域に囲まれた発光する組がある場合は、不自然に組を消灯させず、発光領域まで移動させる。
【０１０８】
そして、図７ＣのＣ及び図７ＣのＤで示すように、発光領域を次第に減らし、つまり、非発光領域を次第に増やす。そして、照明装置２は、完全に消灯する。
【０１０９】
上記に、照明装置２の照明態様を例示したが、照明装置２の照明態様はこれに限定されない。ここでは、人感センサ７０が検知したユーザの動作を示す検知結果に応じて生成された発光情報の一例である。例えば、ユーザが走った場合、ユーザの足跡を再現するように、離散的に光を照射するように光を照射面に照射してもよく、人の足元を照らすように光を照射してもよく、災害等を知らせる情報を取得した場合に色を変えたり、点滅したりすることで報知したり、天候に合わせて天候をイメージした照明をしたり、室内で照明したい部分が複数ある場合、各部分だけを同時に照明したりすることできる。
【０１１０】
［作用効果］
次に、本実施の形態に係る照明制御装置５及び照明装置２の作用効果について説明する。
【０１１１】
上述したように、本実施の形態に係る照明制御装置５は、対応する方向を照明する複数の光源１１により全方位を照明することが可能な１台の照明装置２による照明を制御する照明制御装置５であって、複数の光源１１のうちの１つ以上の光源１１を発光又は消灯させるための発光情報を定期的に取得する度に、発光情報に応じて複数の光源１１のうちの１つ以上の光源１１を発光又は消灯させる処理部２０を備える。そして、発光情報は、複数の光源１１のうちの一部の光源１１である第１光源を発光させる第１発光ステップを実行した後に、第１光源を中心とした所定範囲に存在する第２光源をさらに発光させる第２発光ステップを実行することを示す情報を含む。
【０１１２】
これによれば、複数の光源１１により全方位を照明することができる照明装置２を用いれば、発光情報を定期的に取得することで、取得した発光情報に基づいた演出照明を行うことができる。つまり、単に、複数の光源１１のうちの任意の光源１１を点灯させるのではなく、第１光源を点灯させた後に、第１光源の近くに存在する第２光源を発光させるため、ユーザには、光が移動している（光源１１が動いている）かのような印象を与える。このため、ユーザには、生物を見ているかのような錯覚を与えることができる。
【０１１３】
したがって、この照明制御装置５では、豊かな演出を行うことができる。
【０１１４】
また、本実施の形態に係る照明制御装置５において、処理部２０は、発光情報に含まれる第２発光ステップを実行した際に、さらに、第１発光ステップで実行した第１光源が発する光の発光強度を次第に弱めた後に、第１光源を消灯させる。
【０１１５】
これによれば、第２光源を点灯させた後に第１光源を消灯させるため、ユーザは、生物を見ているかのような錯覚、例えば生物である蛍が光を発するかのような錯覚を覚える。このため、照明制御装置５は、照明装置２を用いることでより豊かな演出を行うことができる。
【０１１６】
また、本実施の形態に係る照明制御装置５において、処理部２０は、第２発光ステップでは、第１光源と隣り合わない位置に存在する光源１０を、第２光源として発光させる。また、処理部２０は、さらに、発光情報に含まれる第２発光ステップを実行後に、第２光源が発する光の発光強度を次第に弱めた後に、第２光源を消灯させる。そして、処理部２０は、さらに、第１光源が発光及び消灯を繰り返す第１リズムと、第２光源が発光及び消灯を繰り返す第２リズムとが異なるように、第１光源及び第２光源を制御する。
【０１１７】
これによれば、第１光源を点滅させるリズムと、第２光源を点滅させるリズムとを異ならせることで、複数の生物が光を発しているかのような錯覚を覚える。このため、より豊かな演出を行うことができる。
【０１１８】
また、本実施の形態に係る照明制御装置５において、所定範囲は、第１発光ステップで発光する第１光源に対して沿面距離で最近接する光源１０までの距離の２倍の範囲である。
【０１１９】
これによれば、照明制御装置５が、第１光源に近すぎず、かつ遠すぎない光源１１を発光させることで、例えば蛍が光を明滅させる様子をより忠実に再現することができる。このため、より豊かな演出を行うことができる。
【０１２０】
また、本実施の形態に係る照明制御装置５は、さらに、ユーザを検知する人感センサ７０を備える。そして、処理部２０は、人感センサ７０が検知したユーザの動作を示す検知結果に基づく発光情報を定期的に取得する。
【０１２１】
これによれば、ユーザを検知することで、例えば、ユーザの動作に応じた照明態様を再現することができる。このため、ユーザに対して、所望の演出照明を提供することができる。
【０１２２】
また、本実施の形態に係る照明制御装置５において、さらに、人感センサ７０の検知結果をユーザに関するデータベースとして保存する記憶部５０と、データベースと人感センサ７０の検知結果とから、ユーザの動作を分析する分析部８０とを備える。そして、処理部２０は、分析部８０が分析した結果に応じた発光情報を定期的に取得する。
【０１２３】
これによれば、ユーザの行動を分析することで、ユーザの行動に応じた発光情報を取得することができる。このため、照明制御装置５では、ユーザに対して、所望の演出照明を提供することができる。
【０１２４】
また、本実施の形態に係る照明装置２は、照明制御装置５と、全方位を照明するように配置された複数の光源１１と、透過性かつ散乱性を有し、かつ、複数の光源１１を覆うカバー部９０とを備える。
【０１２５】
これによれば、カバー部９０を介して光源１１から光が照射されるため、ムラなく光を均等に分散させることができる。また、光が分散されるため、光の残像をより表現し易くなる。このため、生物が光を発しているかのような錯覚をより覚え易くなる。
【０１２６】
また、本実施の形態に係る照明装置２において、処理部２０は、さらに、ネットワークを介して発光情報を定期的に取得する。
【０１２７】
これによれば、様々な発光情報を取得することができるため、ユーザに対して所望の演出照明を提供することができる。
【０１２８】
（その他の変形例）
以上、本開示に係る照明制御装置及び照明装置について、上記各実施の形態に基づいて説明したが、本開示は、これらの実施の形態に限定されるものではない。本開示の趣旨を逸脱しない限り、当業者が思いつく各種変形を実施の形態に施したものも、本開示の範囲に含まれてもよい。
【０１２９】
例えば、上記実施の形態に係る照明制御装置及び照明装置において、照明制御装置は、照明装置に設けられていなくてもよく、制御端末に設けられていてもよい。また、照明制御装置は、照明装置及び制御端末と別体であってもよい。この場合、照明制御装置は発光情報を照明装置に送信し、照明装置は、受信した発光情報に基づいて各光源の発光を制御するマイコン等を有していてもよい。
【０１３０】
また、上記実施の形態に係る照明制御装置及び照明装置において、天候等の気象を示す情報を取得してもよい。照明制御装置は、気象を示す情報に基づいた発光情報を取得してもよい。
【０１３１】
また、上記実施の形態に係る照明制御装置及び照明装置に含まれる各処理部は典型的に集積回路であるＬＳＩとして実現される。これらは個別に１チップ化されてもよいし、一部又は全てを含むように１チップ化されてもよい。
【０１３２】
また、集積回路化はＬＳＩに限るものではなく、専用回路又は汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ内部の回路セルの接続及び設定を再構成可能なリコンフィギュラブル・プロセッサを利用してもよい。
【０１３３】
なお、上記各実施の形態において、各構成要素は、専用のハードウェアで構成されるか、各構成要素に適したソフトウェアプログラムを実行することによって実現されてもよい。各構成要素は、ＣＰＵ又はプロセッサ等のプログラム実行部が、ハードディスク又は半導体メモリ等の記憶媒体に記録されたソフトウェアプログラムを読み出して実行することによって実現されてもよい。
【０１３４】
また、上記で用いた数字は、全て本開示を具体的に説明するために例示するものであり、本開示の実施の形態は例示された数字に制限されない。
【０１３５】
また、ブロック図における機能ブロックの分割は一例であり、複数の機能ブロックを一つの機能ブロックとして実現したり、一つの機能ブロックを複数に分割したり、一部の機能を他の機能ブロックに移してもよい。また、類似する機能を有する複数の機能ブロックの機能を単一のハードウェア又はソフトウェアが並列又は時分割に処理してもよい。
【０１３６】
また、フローチャートにおける各ステップが実行される順序は、本開示を具体的に説明するために例示するためであり、上記以外の順序であってもよい。また、上記ステップの一部が、他のステップと同時（並列）に実行されてもよい。
【０１３７】
なお、上記の各実施の形態に対して当業者が思い付く各種変形を施して得られる形態、本開示の趣旨を逸脱しない範囲で各実施の形態における構成要素及び機能を任意に組み合わせることで実現される形態も本開示に含まれる。
【符号の説明】
【０１３８】
２  照明装置
５  照明制御装置
１１  光源
１１ａ１、１１ｂ１  第１光源（光源）
１１ａ２、１１ｂ２  第２光源（光源）
２０  処理部
５０  記憶部
７０  人感センサ
８０  分析部
９０  カバー部
【図１】
2020195281.tif 000003
【図２Ａ】
2020195281.tif 000004
【図２Ｂ】
2020195281.tif 000005
【図３】
2020195281.tif 000006
【図４】
2020195281.tif 000007
【図５】
2020195281.tif 000008
【図６】
2020195281.tif 000009
【図７Ａ】
2020195281.tif 000010
【図７Ｂ】
2020195281.tif 000011
【図７Ｃ】
2020195281.tif 000012
【国際調査報告】
2020195281.tif 000013
2020195281.tif 000014
2020195281.tif 000015
2020195281.tif 000016